(57)【要約】【課題】光学式ピックアップによって信号の再生動作を行う光ディスク再生装置のチルト制御方法を提供する。【解決手段】光学式ピックアップをディスクの内周側の所定の位置に移動させるとともにフォーカス制御動作を行い、フォーカスがとれた状態におけるフォーカス駆動電圧を測定するとともに得られた直流電圧をメモリー回路に記憶し、記憶された直流電圧に基づいて設定されるチルト制御信号をチルト調整用コイルに供給した状態でディスクに記録されている信号の再生動作を行い、再生動作状態において、アドレスエラー量が所定量に達したとき、再生動作を中断させるとともにフォーカス駆動電圧を測定し、得られた直流電圧に基づいてチルト調整を行った後中断位置から再生動作を再開させる。【選択図】    図１
2005004874.tif 000002
【特許請求の範囲】
【請求項１】
光学式ピックアップをディスクの内周側の所定の位置に移動させるとともにフォーカス制御動作を行い、フォーカスがとれた状態におけるフォーカス駆動電圧を測定するとともに得られた直流電圧を駆動電圧値メモリー回路に記憶し、記憶された直流電圧に基づいて設定されるチルト制御信号をチルト調整用コイルに供給した状態でディスクに記録されている信号の再生動作を行い、再生動作状態において、ディスクに記録されているアドレス信号を再生した信号に含まれるアドレスエラー量が所定量に達したとき、再生動作を中断させるとともにフォーカス駆動電圧を測定し、得られた直流電圧に基づいてチルト調整を行った後中断位置から再生動作を再開させるようにしたことを特徴とする光ディスク再生装置のチルト制御方法。
【請求項２】
内周側の所定の位置にて得られた直流電圧と再生中断位置にて得られた直流電圧に基づいて再生中断位置とディスクの最外周位置との間のチルト制御信号を生成するようにしたことを特徴とする請求項１に記載のチルト制御方法。
【請求項３】
内周側の所定の位置をディスクに記録されている信号の位置を示すデータが記録されている位置に設定したことを特徴とする請求項１に記載のチルト制御方法。
【発明の詳細な説明】
【０００１】
【発明の属する技術分野】
本発明は、光学式ピックアップより照射されるレーザーによってディスクに記録されている信号の再生動作を行うように構成された光ディスク再生装置に関する。
【０００２】
【従来の技術】
光学式ピックアップを用いてディスクに記録されている信号の読み出し動作を行うディスクプレーヤーが普及しているが、最近では、規定の記録線速度に対して、４倍、８倍、１２倍及び１６倍等の高速の線速度一定にてディスクを回転制御した状態で信号を再生することが出来るように構成された光ディスク再生装置が開発されている。
【０００３】
光ディスク再生装置では、光学式ピックアップより照射されるレーザー光をディスク面の信号トラックに対して正確に照射する必要があり、フォーカス制御動作及びトラッキング制御動作が行われる。斯かるフォーカス制御動作は、対物レンズをディスク面方向へ変位させるフォーカシングコイルに駆動電流を供給することにより行われ、トラッキング制御動作は対物レンズをディスクの径方向へ変位させるトラッキングコイルに駆動電流を供給することにより行われる。
【０００４】
最近では、ディスクに多くの信号を記録するために信号の高密度化が行われており、高密度化された信号の再生動作を正確に行うためには、レーザー光を最適な状態にてディスク面に照射する必要がある。斯かる動作を行うために、ディスクと対物レンズとの相対的な角度ズレを補正する動作、即ちチルト調整動作を行うことが出来るように構成された光学式ピックアップが開発されている（例えば、特許文献１参照。）  。
そして、ディスクに対するピックアップの傾きを検出し、その傾きを調整する技術が開発されている（例えば、特許文献２参照。）。
【０００５】
【特許文献１】
特開２００２−１９７６９８号公報
【特許文献２】
特開平１１−２８３２６４号公報
【０００６】
【発明が解決しようとする課題】
特許文献２に記載の技術は、光学式ピックアップをディスクの内周位置から外周位置に移動させることによってチルト制御動作を行うためのデータ、即ちディスクの傾きを示すデータを得るようにされている。斯かる構成によれば、ディスクの傾きに応じたチルト制御動作を行うことは出来るもののディスクに記録されている信号の再生動作を行う前にデータの測定動作を行うため、再生動作を開始する前に時間を要するという問題がある。
【０００７】
前述した技術は、ディスクの傾き特性がディスクの内周側と外周側で大きく相違している場合には、各ディスクの傾きに適したチルト制御動作を行うことが出来るので有効であるが、全てのディスクの傾き特性が内周側と外周側で大きく相違することはなく、傾き特性が大きく相違していないディスクの場合には、データの測定動作が無駄となる。
【０００８】
本発明は、チルト調整動作を行うことが出来る光学式ピックアップを使用し、光ディスク再生装置に適したチルト制御方法を提供しようとするものである。
【０００９】
【作用】
本発明は、光学式ピックアップをディスクの内周側の所定の位置に移動させるとともにフォーカス制御動作を行い、フォーカスがとれた状態におけるフォーカス駆動電圧を測定するとともに得られた直流電圧を駆動電圧値メモリー回路に記憶し、記憶された直流電圧に基づいて設定されるチルト制御信号をチルト調整用コイルに供給した状態でディスクに記録されている信号の再生動作を行い、再生動作状態において、ディスクに記録されているアドレス信号を再生した信号に含まれるアドレスエラー量が所定量に達したとき、再生動作を中断させるとともにフォーカス駆動電圧を測定し、得られた直流電圧に基づいてチルト調整を行った後中断位置から再生動作を再開させるように構成されている。
【００１０】
【実施例】
図１は本発明のチルト制御方法を示すフローチャート、図２は本発明に係る光ディスク再生装置の一実施例を示すブロック回路である。
【００１１】
図２において、１はスピンドルモーター（図示せず）によって回転駆動されるディスクであり、ディスク上の位置を示すアドレス信号がプリグルーブと呼ばれる溝やピットによって記録されており、この溝より得られるウォブル信号やピット信号に基づいて信号の再生動作が行われるように構成されている。２はディスク１に記録されている信号の再生動作を行う光学式ピックアップであり、ディスク１にレーザー光を照射させるレーザーダイオード及び該レーザーダイオードより照射される光をモニターするモニター用ダイオードが組み込まれているとともにディスク１の信号面より反射されるレーザー光を受ける光検出器３が組み込まれている。
【００１２】
また、前記光学式ピックアップ２には、対物レンズ（図示せず）をディスク面方向へ変位させるフォーカシングコイル４、対物レンズをディスク１の径方向へ変位させるトラッキングコイル５及び対物レンズのディスク１に対する角度を調整するチルト調整用コイル６が組み込まれている。
【００１３】
７は前記光学式ピックアップ２に組み込まれている光検出器３から得られる信号に基づいて前記光学式ピックアップ２より照射されるレーザー光をディスク１の信号面に合焦させるフォーカシング制御動作及び該レーザー光を前記信号面の信号トラックに追従させるトラッキング制御動作を行うピックアップ制御回路であり、トラッキングエラー信号に基づくトラッキング制御信号及びフォーカスエラー信号に基づくフォーカシング制御信号を出力するように構成されている。
【００１４】
８は前記ピックアップ制御回路７より出力されるトラッキング制御信号が入力されるトラッキングコイル駆動回路であり、前記光学式ピックアップ２に組み込まれているトラッキングコイル５に駆動信号を供給するように構成されている。９は前記ピックアップ制御回路７より出力されるフォーカシング制御信号が入力されるフォーカシングコイル駆動回路であり、前記光学式ピックアップ２に組み込まれているフォーカシングコイル４に駆動信号を供給するように構成されている。
【００１５】
斯かる構成において、フォーカシングコイル駆動回路９よりフォーシングコイル４に供給される駆動信号は、直流信号に交流信号が重畳された信号となる。斯かる信号の中の直流成分は、対物レンズとディスク１との間の距離に応じて変化するものであり、この直流電圧の値を光ディスク再生装置の製造過程において設定される値と比較することによってディスクの傾きを判定することが出来る。
【００１６】
１０は前記光検出器３より得られる信号、即ちディスク１に記録されている信号に応じて読み出されるＲＦ信号（高周波信号）が入力されるＲＦ信号増幅回路であり、２値化した信号を出力するように構成されている。１１は前記ＲＦ信号増幅回路１０より出力される２値化信号が入力されるデジタル信号処理回路であり、再生信号のエラー訂正を行うとともにアドレス信号の復調動作を行うように構成されている。１２は前記デジタル信号処理回路１１によって復調された信号が入力される信号再生回路であり、復調された信号がオーディオ信号である場合にはアナログ信号に変換して増幅器等に出力し、コンピューターソフトのようなデータ信号の場合には、デジタル信号のまま出力するように構成されている。
【００１７】
１３は前記デジタル信号処理回路１１による復調動作等を信号の再生速度に応じて行ったり各種の制御動作を行うシステム制御回路、１４はデジタル信号処理回路１１による復調されるアドレス信号に含まれるアドレスエラー量を検出するアドレスエラー検出回路であり、その検出値はシステム制御回路１３に入力されるように構成されている。１５はディスク１に記録されているアドレス信号に基づいてディスク上の位置を検出する位置検出回路であり、再生動作が行われているとき、その再生位置を示すアドレス情報が入力されるとともにその位置を記憶するように構成されている。
【００１８】
斯かる構成において、システム制御回路１３には、前記フォーカシングコイル駆動回路９からフォーカシングコイル４に供給されるフォーカス駆動信号が入力された状態にあり、駆動信号に含まれる直流電圧値を検出するように構成されている。１６はシステム制御回路１３によって検出された直流電圧値が前記位置検出回路１５にて検出されたアドレス信号とともに記憶される駆動電圧値メモリー回路であり、書き込み動作や読み出し動作が前記システム制御回路１３によって制御されるように構成されている。また、光ディスク再生装置の製造出荷時に所定位置、例えばディスクに記録されている信号の位置を示すデータが記録されているリードインと呼ばれる位置にて計測された直流電圧値が前記システム制御回路１３内に組み込まれている不揮発性メモリーに記憶されている。
【００１９】
１７は前記システム制御回路１３から前記駆動電圧値メモリー回路１６に記憶されている直流電圧値に応じて出力される信号に基づいてチルト制御信号を出力するチルト制御回路であり、予め記憶されている直流電圧値に応じて設定されているチルト調整用の直流電圧を出力するように構成されている。
【００２０】
１８は前記チルト制御回路１７より出力されるチルト制御信号を増幅する増幅回路、１９は前記フォーカシングコイル駆動回路９より出力されるフォーカス駆動信号の中から直流信号をカットするコンデンサ、２０は前記コンデンサ１９を通過する交流信号が入力されるとともに該信号を増幅する増幅回路である。２１は前記増幅回路１８にて増幅されたチルト制御信号と前記増幅回路２０にて増幅された交流信号とを加算する加算回路、２２は前記加算回路２１によって加算されたチルト調整用信号が入力されるチルトコイル駆動回路であり、前記光学式ピックアップ２に組み込まれているチルト調整用コイル６に駆動信号を供給するように接続されている。
【００２１】
以上に説明したように本発明に係る光ディスク再生装置は構成されているが、次に本発明のチルト制御方法について図１に示すフローチャートを参照して説明する。
【００２２】
再生動作を行うためにディスク１を光ディスク再生装置に組み込まれているターンテーブル上に載置させると、光学式ピックアップ２をディスクの内周側の所定位置、例えばディスクに記録されている信号の位置を示すデータが記録されているリードインエリアに移動させる（ステップＡ）。所定の位置に光学式ピックアップ２が移動されるとピックアップ制御回路７によるフォーカス制御動作を行う（ステップＢ）。フォーカス制御動作により光学式ピックアップ２より照射されるレーザー光がディスク１の信号面に合焦されたか、即ちフォーカスがとれたか否かの判定が行われる（ステップＣ）。
【００２３】
ステップＣにおいて、フォーカスが取れなかった場合には、ディスク１の不良やディスク１が表裏反対に装着されたと判定し、ディスクエラー処理を行う（ステップＤ）。ステップＣにおいて、フォーカスがとれたと判定された場合には、ディスク１をスピンドルモーターによって所望の回転速度にて回転駆動するとともにフォーカシングコイル４に供給されているフォーカス駆動電圧から直流電圧を測定し、その測定して得られた電圧値を駆動電圧値メモリー回路１６に記憶させる（ステップＥ）。
【００２４】
ステップＥにおいて、フォーカス駆動電圧に含まれる直流電圧が測定されると、その測定値に応じた信号がシステム制御回路１３よりチルト制御回路１７に対して出力される。その結果、その信号に対応して前以って設定されているチルト制御信号がチルト制御回路１７より出力される。前記チルト制御回路１７から出力される直流信号は、増幅回路１８に入力されて増幅された後加算回路２１に入力される。一方、フォーカシングコイル駆動回路９より出力される駆動信号は、コンデンサ１９を介して増幅回路２０に入力されるが、該増幅回路２０に入力される信号は直流信号をカットした交流信号、即ちディスク１の面ぶれに対して対物レンズを変位させる信号である。前記増幅回路２０によって増幅された交流信号は、加算回路２１に入力されるとともに前記増幅回路１８より増幅された直流信号に加算された後チルトコイル駆動回路２２に入力される。
【００２５】
その結果、ディスク１上の内周位置にて設定された直流信号に交流信号が重畳された信号がチルトコイル駆動回路２２より光学式ピックアップ２に組み込まれているチルト調整用コイル６に供給される。従って、チルト調整用コイル６による対物レンズの傾き調整が行われることになる。斯かる対物レンズの傾きを調整するためにチルト制御回路１７より出力される直流信号の値は、光ディスク再生装置の製造出荷時に測定されて不揮発性メモリーに記憶されている直流電圧値とディスク１を使用して測定された直流電圧値の関係から設定されるが、斯かる設定動作は実験値に基づいて設定される。前記不揮発性メモリーに記憶されている直流電圧値は、製造出荷時に測定設定されるが、この値は光ディスク再生装置に組み込まれているディスク回転駆動機構や光学式ピックアップ２の取りつけ機構との傾きを示すものであり、各光ディスク再生装置毎に相違することになる。
【００２６】
ステップＥの動作が行われると、前述したチルト制御動作が行われて再生動作を行う（ステップＦ）。即ち、チルト制御回路１７より出力されるチルト制御信号のレベルは固定された状態で再生動作が続けられることになる。ディスク１に記録されている信号は、ピックアップ制御回路７によるフォーカシング制御動作及びトラッキング制御動作、そしてチルト制御回路１７によるチルト制御動作が行われている光学式ピックアップ２によって再生される。
【００２７】
前記光学式ピックアップ２によって再生された信号は、ＲＦ信号増幅回路１０に入力されて増幅されるとともに２値化されてデジタル信号処理回路１１に対して出力される。前記デジタル信号処理回路１１に入力された再生信号は、エラー訂正等の復調処理が行われて信号再生回路１２に出力される。その結果、前記信号再生回路１２による再生処理動作が行われてパーソナルコンピュータ等へ再生信号が出力される。
【００２８】
前述したようにディスク１に記録されている信号の再生動作は行われるが、斯かる動作が行われている状態では、位置検出回路１５による再生位置の検出動作及びアドレスエラー検出回路１４によるアドレスエラー量の検出動作が行われている。前記アドレスエラー検出回路１４によるアドレスエラー量の検出動作は、前記デジタル信号処理回路１１によるアドレス信号に対するエラー検出動作によって行うことが出来る。斯かる状態において、アドレスエラー検出回路１４によって検出されるアドレスエラー量はシステム制御回路１３に入力され、該システム制御回路１３によってアドレスエラー量が所定数に達したか否かの判定を行う（ステップＧ）。この設定数は、デジタル信号処理回路１１による再生信号の復調動作を正常に行うことが出来ない状況になる直前の値に設定されている。
【００２９】
ステップＧにおいて、アドレスエラー量が所定値に達しなければそのまま再生動作が続けられ、停止操作やディスク１に記録されている信号の最終位置まで再生動作が行われて光ディスク再生装置は停止状態に復帰せしめられる。ステップＧにおいて、アドレスエラー量が所定数に達したと判定されると、再生動作を中断させるとともにその位置におけるフォーカス駆動電圧の直流電圧を測定し、その値を駆動電圧値メモリー回路１６に記憶する（ステップＨ）。斯かる中断動作が行われたとき、再生中断位置を示す位置情報は位置検出回路１５によって検出されるとともにその位置情報が記憶されることになる。
【００３０】
再生中断位置におけるフォーカス駆動電圧の直流電圧が測定されてその値が駆動電圧値メモリー回路１６に記憶されると、該駆動電圧値メモリー回路１６に記憶された直流電圧に基づく信号がチルト制御回路１７に出力され、その信号に応じたチルト制御信号がチルト制御回路１７から出力される。斯かるチルト制御信号がチルト制御回路１７より出力されると、チルトコイル駆動回路２２から光学式ピックアップ２に組み込まれているチルト調整用コイル６にチルト調整用の駆動信号が供給される。
【００３１】
斯かる駆動信号がチルト調整用コイル６に供給されると、対物レンズの傾きをディスク１の信号面に対して最適な状態に調整する動作、即ちチルト調整動作が行われる。斯かる調整動作が行われると再生を中断させた位置に光学式ピックアップ２を移動させて再生動作を再開させる（ステップＩ）。斯かるチルト調整動作を行った後に再生動作を再開させるとディスク１からの信号の読み取り動作を正確に行うことが出来る状況になるので、アドレスエラー検出回路１４によって検出されるアドレスエラー量が少なくなる。このようにして、再生動作が開始されると、ステップＧに戻り前述した動作が繰り返し行われることになる。
【００３２】
前述したように本発明によれば、再生中にアドレスエラー量が増加した場合には、再生動作を中断させるとともにチルト調整を行った後に再生動作を再開させるようにしたので、ディスク１に記録されている信号の再生動作を支障なく行うことが出来る。
【００３３】
また、本実施例では、再生動作中にアドレスエラー量が所定量に達したときにチルト調整動作を行うようにしたが、最初のアドレスエラー量が所定量に達したときに測定されて得られるフォーカス駆動電圧値と内周側の位置にて測定されたフォーカス駆動電圧値と差と内周側の所定位置とアドレスエラー量が所定量に達して再生動作が中断された位置までの距離との差から求められる関係式からディスク１の傾きを近似するようにし、その近似された値によってチルト制御回路１７より出力されるチルト信号の値を再生位置に対応させて変更補正すれば、最初の再生中断位置から外周側においてはチルト調整動作が再生位置に対応して行われるので、再度アドレスエラー量が所定量に達することはなく再生動作を続けることが出来る。
【００３４】
また、本実施例では、内周側の所定の位置をディスクに記録されている信号の位置を示すデータが記録されている位置にしたが、その位置は自由に設定することは出来る。
【００３５】
【発明の効果】
本発明は、光学式ピックアップをディスクの内周側の所定の位置に移動させるとともにフォーカス制御動作を行い、フォーカスがとれた状態におけるフォーカス駆動電圧を測定するとともに得られた直流電圧を駆動電圧値メモリー回路に記憶し、記憶された直流電圧に基づいて設定されるチルト制御信号をチルト調整用コイルに供給した状態でディスクに記録されている信号の再生動作を行い、再生動作状態において、ディスクに記録されているアドレス信号を再生した信号に含まれるアドレスエラー量が所定量に達したとき、再生動作を中断させるとともにフォーカス駆動電圧を測定し、得られた直流電圧に基づいてチルト調整を行った後中断位置から再生動作を再開させるようにしたので、即ちチルト調整のためのフォーカス電圧測定動作をディスクの内周側の位置にて行った後に再生動作を開始させるようにしたので、ディスクを装着後の再生動作を速やかに開始させることが出来る。
【００３６】
また、本発明は、内周側の所定の位置にて得られた直流電圧と再生中断位置にて得られた直流電圧に基づいて再生中断位置とディスクの最外周位置との間のチルト制御信号を生成するようにしたので、ディスクに記録されている信号の再生動作を速やかに行うことが出来る。
【００３７】
そして、本発明は、内周側の所定の位置をディスクに記録されている信号の位置を示すデータが記録されている位置に設定したので、ディスクに記録されている信号の再生動作を行う前に必ず読み出される信号の再生動作を行っている間にフォーカス駆動電圧の測定動作を行うことが出来るので、効率良く測定調整動作を行うことが出来る。
【図面の簡単な説明】
【図１】本発明のチルト制御方法を示すフローチャートである。
【図２】本発明に係る光ディスク再生装置の一実施例を示すブロック回路図である。
【符号の説明】
１        ディスク
２        光学式ピックアップ
４        フォーカシングコイル
６        チルト調整用コイル
７        ピックアップ制御回路
９        フォーカシングコイル駆動回路
１０        ＲＦ信号増幅回路
１１        デジタル信号処理回路
１３        システム制御回路
１４        アドレスエラー検出回路
１５        位置検出回路
１６        駆動電圧値メモリー回路
１７        チルト制御回路
２２        チルトコイル駆動回路
【図１】
2005004874.tif 000003
【図２】
2005004874.tif 000004